(57)【要約】【課題】光ケーブル接続用クロージャにおける光ファイバ心線の取り扱い作業の作業効率を向上させることができる光ケーブル接続用クロージャを提供する。【解決手段】光ファイバ心線同士の接続部及び余長を収納するクロージャ筐体１と、クロージャ筐体の内部に多心の光ファイバテープ心線を単心に分岐するための分岐部分を内蔵した分岐心線モジュール２又は光信号を分岐結合するためのスプリッタを内蔵したスプリッタモジュール３の少なくともいずれか一方と、分岐心線モジュール２又はスプリッタモジュール３の少なくともいずれか一方に光ファイバ心線接続用コネクタと、光ファイバ心線の端部に光ファイバ心線光コネクタと、分岐心線モジュール２又はスプリッタモジュール３に光ファイバ心線接続用コネクタとを備え、光ファイバ心線光コネクタと光ファイバ心線接続用コネクタとを接続した。【選択図】図１
2010019986.tif 000002
【特許請求の範囲】
【請求項１】
光ファイバ心線同士の接続部及び余長を収納するクロージャ筐体と、
前記クロージャ筐体の内部に多心の光ファイバテープ心線を単心に分岐するための分岐部分を内蔵した分岐心線モジュール又は光信号を分岐結合するためのスプリッタを内蔵したスプリッタモジュールの少なくともいずれか一方と、
前記分岐心線モジュール又は前記スプリッタモジュールの少なくともいずれか一方に光ファイバ心線接続用コネクタと、
前記光ファイバ心線の端部に光ファイバ心線光コネクタと、
前記分岐心線モジュール又は前記スプリッタモジュールに光ファイバ心線接続用コネクタと
を備え、
前記光ファイバ心線光コネクタと前記光ファイバ心線接続用コネクタとを接続する
ことを特徴とする光ケーブル接続用クロージャ。
【請求項２】
前記分岐心線モジュール又は前記スプリッタモジュールにモジュール間接続用コネクタを備え、
前記モジュール間接続用コネクタを介して前記分岐心線モジュールと前記スプリッタモジュールとを接続する
ことを特徴とする請求項１に記載の光ケーブル接続用クロージャ。
【請求項３】
前記光ファイバ分岐心線モジュール又は前記スプリッタモジュールの少なくともいずれか一方に内蔵する光ファイバは、該光ファイバの断面において空孔を有する光ファイバである
ことを特徴とする請求項１又は請求項２に記載の光ケーブル接続用クロージャ。
【請求項４】
前記光ファイバ分岐心線モジュール又は前記スプリッタモジュールの少なくともいずれか一方は収納ケース内に収納固定され、前記クロージャ筐体の内部には複数の前記収納ケースを備える
ことを特徴とする請求項１から請求項３のいずれか１項に記載の光ケーブル接続用クロージャ。
【発明の詳細な説明】
【技術分野】
【０００１】
本発明は、光ケーブル接続用クロージャに関する。
【背景技術】
【０００２】
光ケーブルの分岐、引込み、接続などを行う場合、光ケーブル接続用クロージャを使用する（例えば、下記特許文献１参照）。クロージャ筐体内に設置される光ファイバ接続部及び光ファイバ余長の収納部品により、光ファイバ心線の接続部及び光ファイバ心線の余長を収容し保護する。
【０００３】
図７は、従来の光ケーブル接続用クロージャの模式図である。
図７に示すように、従来の光ケーブル接続用クロージャは、クロージャ筐体１００内において、成端盤１０１、スプリッタモジュールケース１０２、光コネクタ成端ケース１０３、接続トレイ１０４、センタートレイ１０５により構成されている。主ケーブル１０６ａからクロージャ筐体１００内部に引き込まれた光ファイバ心線１０７ａ，１０７ｂの収納は、分岐ケーブル１０８により導出される分岐心線１０９、ドロップ光ファイバ１１０により導出される引き落とし心線１１１、モジュールコード１１２との接続部であるモジュールコード光コネクタ１１３及びモジュールコード１１２の余長ごとに収納ケース（図示省略）が配置されている。
【０００４】
主ケーブル１０６ａの外被はクロージャ筐体１００の導入出部１００ａ，１００ｂで把持される。主ケーブル１０６ａが多心光ファイバケーブルである場合、主ケーブル１０６ａは主にテープ心線を有する光ファイバ心線１０７ａ，１０７ｂで構成されている。光ファイバ心線１０７ａはテープ心線のコーティングを剥ぎ取り単心線１１４に分岐され、単心線１１４の状態でクロージャ筐体１００内を取り回す。
【０００５】
主ケーブル１０６ａの光ファイバ心線１０７ｂを分岐ケーブル１０６又はドロップ光ファイバ１０９と接続しない場合は、そのままクロージャ筐体１００内から主ケーブル１０６ｂにより導出させる形態となる。光ファイバ心線１０７ａ，１０７ｂはセンタートレイ１０５で光ファイバ心線１０７ａ，１０７ｂごとに分岐して収納される。
【０００６】
また、多心光ファイバケーブルである主ケーブル１０６ａと分岐ケーブル１０８とを接続する場合は、接続トレイ１０４内において接続部１１５において接続した光ファイバ心線１０７ａ及び分岐心線１０９の曲げ半径が３０ｍｍ以上となるように輪を束ねた状態とし、接続トレイ１０４内の心線押さえ片（図示省略）で光ファイバ心線１０７ａ及び分岐心線１０９の飛び出しを防止した状態で光ファイバ心線１０７ａ及び分岐心線１０９の余長を収納する。
【０００７】
ここで、多心光ファイバケーブルである主ケーブル１０６ａとドロップ光ファイバ１１０とを接続する場合において、スプリッタモジュール１１６を介して主ケーブル１０６ａの光ファイバ心線１０７ａをドロップ光ファイバ１１０と接続して引き落とす例について図７，８により説明する。
【０００８】
図８は、従来の光ケーブル接続用クロージャにおけるスプリッタモジュールケース及び光コネクタ成端ケースの模式図である。
図８に示すように、スプリッタモジュール１１６は光信号を分岐結合するためのスプリッタである石英系平面導波回路（以下、ＰＬＣという）を有し、入力した光信号を８分岐又は４分岐することができる。スプリッタモジュール１１６はクロージャ筐体１００ではスプリッタモジュールケース１１７に収容した状態で使用する。スプリッタモジュール１１６には、光信号の入力側にスプリッタモジュール入力部コード１１７と光信号の出力側にモジュールコード１１２が接続されている。
【０００９】
スプリッタモジュール１１６の入力側にはスプリッタモジュール入力部コード１１７として単心のピグテイルファイバが接着剤により固定されており、スプリッタモジュール１１６の出力側にはモジュールコード１１２として８心又は４心のテープ心線のピグテイルファイバが接着剤により固定されている。これらモジュールコード１１２の長さは７００ｍｍ以上であり、モジュールコード１１２の端部にはモジュールコード光コネクタ１１３が装着されている。
【００１０】
図７に示すように、光ファイバ心線１０７ａを単心に分岐した単心線１１４に単心線１１４を成端盤１０１に接続するための単心線光コネクタ１１８を装着し、単心線光コネクタ１１８を成端盤１０１に接続する。スプリッタモジュール入力部コード１１７の端部に成端盤１０１に接続するための入力部コード光コネクタ１１９を装着し、入力部コード光コネクタ１１９を成端盤１０１に接続する。
【００１１】
図８に示すように、スプリッタモジュール１１６は、スプリッタモジュールケース１０２の下層のトレイである下層トレイ１０２ａに設置されている。モジュールコード１１２をスプリッタモジュールケース１０２の上層のトレイである上層トレイ１０２ｂにおいてモジュールコード１１２の余長を収納した後、光コネクタ成端ケース１０３においてモジュールコード１１２の光コネクタ１１３とドロップ光ファイバ１１０の引き落とし心線１１１とを接続する。
【００１２】
従来の光ファイバは、コアとクラッドの材料による屈折率差のみで光を閉じ込める構造であり、光ファイバの曲げ半径を小さくすると曲げによる放射損失が増大するため、クロージャ筐体１００内では曲げ半径の限界値を３０ｍｍ程度として、光ファイバの曲げ半径が３０ｍｍ以上となるように取り回す必要があった。
【００１３】
このため、例えば、クロージャ筐体１００内のスプリッタモジュールケース１０２、光コネクタ成端ケース１０３、接続トレイ１０４及びセンタートレイ１０５等では曲げ半径３０ｍｍ以上を確保するためのスペースを設ける必要があった。また、クロージャ筐体１００内のスプリッタモジュールケース１０２、光コネクタ成端ケース１０３、接続トレイ１０４及びセンタートレイ１０５等を経由する光ファイバがクロージャ筐体１００内のスプリッタモジュールケース１０２、光コネクタ成端ケース１０３、接続トレイ１０４及びセンタートレイ１０５間で縦方向の曲率半径３０ｍｍを確保することができるレイアウトとする必要もあった。
【００１４】
ところで、従来の光ファイバの曲げ半径の限界値にくらべて、曲げ半径を小さくできる光ファイバとしてホーリー光ファイバがある（例えば、下記特許文献２参照）。このホーリー光ファイバは、コア周囲のクラッド部に空孔を存在させることでクラッドの実効的な屈折率を下げて、コアとクラッドとの間の屈折率差を大きくして、曲げによる放射損失の増加を抑える光ファイバである。このように、ホーリー光ファイバは、曲げや捻りへの耐性が大きいため、従来の光ファイバでは成し得ない径で光ファイバを曲げることができる。
【００１５】
【特許文献１】特開２０００−１２１８４０号公報
【特許文献２】特開２００５−１７６５０号公報
【発明の開示】
【発明が解決しようとする課題】
【００１６】
上述したように従来の光ケーブル接続用クロージャでは、光ファイバの曲げ半径を３０ｍｍ以上確保する設計としていた。このため、図７，８に示すように、クロージャ筺体１００のサイズをできる限り大きくせずに、光ファイバの曲げ半径３０ｍｍ以上を確保するため、スプリッタモジュールケース１０２、光コネクタ成端ケース１０３、接続トレイ１０４及びセンタートレイ１０５等を多段設置し、光ファイバはスプリッタモジュールケース１０２、光コネクタ成端ケース１０３、接続トレイ１０４及びセンタートレイ１０５等を経由しながら取り回される構成であった。
【００１７】
例えば、図７，８で示したような従来のスプリッタモジュール１１６は、７００ｍｍ以上の光コネクタ１１３付きのモジュールコード１１２を有し、クロージャ筐体１００内に縦方向にモジュールコード１１２の余長を配線する作業が必要であった。このように、クロージャ筐体１００内で多段設置した各ケースを経由しながら光ファイバを収納することは作業効率を向上させる上で課題となる。
【００１８】
しかし、ホーリー光ファイバを用いることとすれば曲げ半径を小さくできるため、ホーリー光ファイバの使用により光ファイバ心線余長の収納スペースを小型化することができる。その効果として、多段設置したケースを経由する配線ではなく、水平に配置するレイアウトも可能になる。しかしながら、小型化した収納スペースへ光ファイバを取り回して収納する作業は困難であり、作業効率が低下するという課題がある。
【００１９】
また、収納する光ファイバ心線の長さが現状と変わらない構成を採用した場合、小型化に伴い輪取り１周で巻ける光ファイバ心線の長さが短くなることで一定の長さの光ファイバを収納する作業時間が増大するという課題もある。
【００２０】
以上のことから、本発明は、光ケーブル接続用クロージャにおける光ファイバ心線の取り扱い作業の作業効率を向上させることができる光ケーブル接続用クロージャを提供することを目的とする。
【課題を解決するための手段】
【００２１】
上記の課題を解決する第１の発明に係る光ケーブル接続用クロージャは、
光ファイバ心線同士の接続部及び余長を収納するクロージャ筐体と、
前記クロージャ筐体の内部に多心の光ファイバテープ心線を単心に分岐するための分岐部分を内蔵した分岐心線モジュール又は光信号を分岐結合するためのスプリッタを内蔵したスプリッタモジュールの少なくともいずれか一方と、
前記分岐心線モジュール又は前記スプリッタモジュールの少なくともいずれか一方に光ファイバ心線接続用コネクタと、
前記光ファイバ心線の端部に光ファイバ心線光コネクタと、
前記分岐心線モジュール又は前記スプリッタモジュールに光ファイバ心線接続用コネクタと
を備え、
前記光ファイバ心線光コネクタと前記光ファイバ心線接続用コネクタとを接続する
ことを特徴とする。
【００２２】
上記の課題を解決する第２の発明に係る光ケーブル接続用クロージャは、第１の発明に係る光ケーブル接続用クロージャにおいて、
前記分岐心線モジュール又は前記スプリッタモジュールにモジュール間接続用コネクタを備え、
前記モジュール間接続用コネクタを介して前記分岐心線モジュールと前記スプリッタモジュールとを接続する
ことを特徴とする。
【００２３】
上記の課題を解決する第３の発明に係る光ケーブル接続用クロージャは、第１の発明又は第２の発明に係る光ケーブル接続用クロージャにおいて、
前記光ファイバ分岐心線モジュール又は前記スプリッタモジュールの少なくともいずれか一方に内蔵する光ファイバは、該光ファイバの断面において空孔を有する光ファイバである
ことを特徴とする。
【００２４】
上記の課題を解決する第４の発明に係る光ケーブル接続用クロージャは、第１の発明から第３の発明のいずれかひとつに係る光ケーブル接続用クロージャにおいて、
前記光ファイバ分岐心線モジュール又は前記スプリッタモジュールの少なくともいずれか一方は収納ケース内に収納固定され、前記クロージャ筐体の内部には複数の前記収納ケースを備える
ことを特徴とする。
【発明の効果】
【００２５】
本発明によれば、光ケーブル接続用クロージャにおける光ファイバ心線の取り扱い作業の作業効率を向上させることができる光ケーブル接続用クロージャを実現することが可能である。
【発明を実施するための最良の形態】
【００２６】
以下、本発明に係る光ケーブル接続用クロージャの実施例について図を参照しながら説明する。ここで、図１は本発明の第１の実施例に係る光ケーブル接続用クロージャの模式図、図２は本発明の第２の実施例に係る分岐心線モジュールの種々の構成例の模式図、図３は本発明の第２の実施例に係る８分岐スプリッタモジュールの種々の構成例の模式図、図４は本発明の第２の実施例に係る４分岐スプリッタモジュールの種々の構成例の模式図、図５は本発明の第３の実施例に係る光ケーブル接続用クロージャの模式図、図６は本発明の第３の実施例に係る光ケーブル接続用クロージャの模式図である。
【実施例１】
【００２７】
本発明に係る光ケーブル接続用クロージャの第１の実施例について説明する。
図１に示すように、本実施例に係る光ケーブル接続用クロージャにおいては、後述する分岐心線モジュール２及びスプリッタモジュール３をクロージャ筺体１に直接固定する構造となっている。なお、本実施例においては、分岐心線モジュール２及びスプリッタモジュール３の両方を備えているが、分岐心線モジュール２又はスプリッタモジュール３のいずれか一方を備える構成とすることも可能である。
【００２８】
分岐心線モジュール２は、分岐心線モジュール２の側面に、多心のテープ光ファイバ８を接続するための多心用光コネクタ５と、単心の光ファイバ９を接続するための単心用光コネクタ６とを具備する。
【００２９】
スプリッタモジュール３は、スプリッタモジュール３の側面に、分岐心線モジュール２の単心用光コネクタ６とスプリッタモジュール３の単心の光ファイバ１１とを接続する単心用光コネクタ４と、単心の光ファイバ１２を接続するための単心用光コネクタ７とを具備する。
【００３０】
次に、本実施例に係る光ケーブル接続用クロージャにおける分岐心線モジュール２の構成例について説明する。
図１に示すように、多心のテープ光ファイバ８は、分岐心線モジュール２のケース２ａ内で単心の光ファイバ９へ分岐される。この分岐は多心のテープ光ファイバ８を裂いて単心の光ファイバ９としている。多心のテープ光ファイバ８を裂いて分岐させた分岐部は分岐部保護部材１０により覆われている。
【００３１】
多心のテープ光ファイバ８の端部には、多心用光コネクタ５を装着している。単心の光ファイバ９の端部には、それぞれ多心用光コネクタ５を装着している。分岐心線モジュール２における多心用光コネクタ５及び多心用光コネクタ５は分岐心線モジュール２のケース２ａに固定し、多心のテープ光ファイバ８及び単心の光ファイバ９は分岐心線モジュール２のケース２ａ内に収納する。
【００３２】
次に、本実施例に係る光ケーブル接続用クロージャにおけるスプリッタモジュール３の構成例について説明する。
図１に示すように、スプリッタモジュール３は単心用光コネクタ４を具備する。スプリッタモジュール３のケース３ａ内で単心の光ファイバ１１により導波されていた光信号を別の単心の光ファイバ１２へ分岐する。この分岐は光信号を分岐結合するためのスプリッタである石英系平面導波回路（以下、ＰＬＣという）１３により行う。このＰＬＣ１３と単心の光ファイバ１１及び単心の光ファイバ１２は接着剤によりスプリッタモジュール３のケース３ａに固定している。
【００３３】
８分岐するスプリッタモジュール３の場合、片方の側面には単心の光ファイバ１１が接着剤により固定され、それと対向する側面には８心のテープ光ファイバ１２を単心ごとに分岐した単心の光ファイバ１２ａが接着剤により固定されている。この単心の光ファイバ１１の端部には、単心用光コネクタ７を装着している。スプリッタモジュール３における単心用光コネクタ４及び単心用光コネクタ７はスプリッタモジュール３のケース３ａに固定し、単心の光ファイバ１１及び単心の光ファイバ１２ａはスプリッタモジュール３のケース３ａ内に収納する。
【００３４】
次に、主ケーブル２０のうちの１心である光ファイバ心線２１を単心のドロップ光ファイバ２２と接続する例について説明する。
図１に示すように、クロージャ筐体１内へ導入出される主ケーブル２０は、外被を剥がして光ファイバ心線２１の状態でクロージャ筐体１内を取り回される。この光ファイバ心線２１は多心のテープ光ファイバ又は単心のテープ光ファイバであるが、本実施例においては光ファイバ心線２１は多心のテープ光ファイバであるものとする。
【００３５】
クロージャ筐体１内へ導入した光ファイバ心線２１を一定の長さの所で切断して、切断した光ファイバ心線２１の端部に多心用光コネクタ２３を装着する。この多心用光コネクタ２３は分岐心線モジュール２の多心用光コネクタ５と接続する。分岐心線モジュール２のケース２ａ内において多心のテープ光ファイバ８は単心の光ファイバ９ごとに分岐部（図示省略）において分岐される。
【００３６】
この分岐部には、分岐部を保護する分岐部保護部材１０により覆われている。分岐心線モジュール２のケース２ａ内で分岐された光ファイバ９の端部には単心用光コネクタ６を装着する。この単心用光コネクタ６は、分岐心線モジュール２のケース２ａに固定されている。
【００３７】
分岐心線モジュール２のケース２ａにおける単心用光コネクタ６の固定位置は、一つはスプリッタモジュール３の単心用光コネクタ４の取り付け位置と対向して固定され、他の３つは他の面に固定されている。分岐心線モジュール２の多心用光コネクタ５の取り付け位置の反対側に固定した分岐心線モジュール２の単心用光コネクタ６は、スプリッタモジュール３のケース３ａに固定した単心用光コネクタ４と接続する。
【００３８】
分岐心線モジュール２と単心用光コネクタ４，６を介して接続したスプリッタモジュール３において、スプリッタモジュール３に内蔵したＰＬＣ１３により光信号を８分岐する。分岐心線モジュール２と接続する側のＰＬＣ１３の端部には単心の光ファイバ１１が接着剤により固定されており、その反対側のＰＬＣ１３の端部には８心のテープ光ファイバ１２が接着剤により固定されている。
【００３９】
スプリッタモジュール３のケース３ａ内で８心のテープ光ファイバ１２は単心ごとに分岐され単心光ファイバ１２ａとされ、この単心光ファイバ１２ａの端部に単心用光コネクタ７を装着する。この単心光コネクタ７は、スプリッタモジュール３のケース３ａに固定される。なお、図１では８個の単心用光コネクタ７をスプリッタモジュール３のケース３ａの一つの側面に８個並べた例を示している。
【００４０】
ドロップ光ファイバ２２の外被を裂いてクロージャ筐体１内に導入したドロップ光ファイバ２２の単心の引き落とし心線２４に単心用光コネクタ２５を装着し、スプリッタモジュール３のケース３ａに８個並べて固定した単心用光コネクタ７の一つと接続する。
以上のような形態により主ケーブル２０のうちの１心である光ファイバ心線２１を単心のドロップ光ファイバ２２と接続する。
【００４１】
次に、主ケーブル２０のうちの１心である光ファイバ心線２１を分岐心線モジュール２と接続した後でスプリッタモジュール３を介さずにドロップ光ファイバ２６と接続する例について説明する。
図１に示すように、クロージャ筐体１内へ導入した光ファイバ心線２１を一定の長さの所で切断して、切断した光ファイバ心線２１の端部に多心用光コネクタ２３を装着する。
【００４２】
主ケーブル２０の光ファイバ心線２１へ装着した多心用光コネクタ２３を分岐心線モジュール２のケース２ａに装着した多心用光コネクタ５と接続する。ドロップ光ファイバ２６の単心の引き落とし心線２７に単心用光コネクタ２８を装着し、分岐心線モジュール２のケース２ａに固定した単心用光コネクタ６と接続する。
【００４３】
スプリッタモジュール３に固定する単心用光コネクタ４と接続される分岐心線モジュール２の単心用光コネクタ６と、スプリッタモジュール３を介さずに直接ドロップ光ファイバ２６と接続する単心用光コネクタ６は、分岐心線モジュール２のケース２ａにおける固定位置が異なる。
以上のような形態により、主ケーブル２０のうちの１心である光ファイバ心線２１をスプリッタモジュール３を介さずに単心の引き落とし心線２７と接続する。
【００４４】
次に、主ケーブルのうちの多心テープ光ファイバ２９を分岐ケーブル３０の多心テープ光ファイバ３１と接続する例について説明する。
図１に示すように、主ケーブル２０の多心のテープ光ファイバ２９と分岐ケーブル３０の多心のテープ光ファイバ３１をそれぞれを一定の長さの所で切断する。主ケーブル２０の多心のテープ光ファイバ２９の端部に多心用光コネクタ３２を装着し、分岐ケーブル３０の多心のテープ光ファイバ３１の端部に多心用光コネクタ３３を装着する。そして、主ケーブル２０の多心のテープ光ファイバ２９と分岐ケーブル３０の多心のテープ光ファイバ３１をクロージャ筐体１内の底面の接続トレイ３４に多心用光コネクタ３２と多心用光コネクタ３３とを接続した状態で収納する。
【００４５】
なお、この接続形態では主ケーブル２０の多心のテープ光ファイバ２９の端部と分岐ケーブル３０の多心のテープ光ファイバ３１の端部とを融着接続する場合もある。融着接続する場合は、融着接続の失敗に備えて複数回の融着接続ができるように主ケーブル２０の多心のテープ光ファイバ２９と分岐ケーブル３０の多心のテープ光ファイバ３１に余長がある状態で接続トレイ３４へ収納する。
【実施例２】
【００４６】
本発明に係る光ケーブル接続用クロージャの第２の実施例について説明する。
本実施例に係る光ケーブル接続用クロージャにおいては、分岐心線モジュール２とスプリッタモジュール３とに内蔵する光ファイバとして、光ファイバの断面において空孔を有する光ファイバを使用する。
【００４７】
次に、本実施例に係る光ケーブル接続用クロージャにおける分岐心線モジュール２の種々の構成例について説明する。
図２に示すように、本実施例に係る分岐心線モジュール２において、多心のテープ光ファイバ８と、分岐部保護部材１０と、単心の光ファイバ９と、単心の光ファイバ９に装着した単心用光コネクタ６とを具備するレイアウトを示している。
【００４８】
なお、図２（ａ）は直列型、図２（ｂ）は多面光コネクタ型、図２（ｃ）は分岐部横設置型の分岐心線モジュール２の構造例を示した模式図である。
また、図２（ｄ）は、多心用光コネクタ５が取り外しできる構造例を示した模式図である。例えば、主ケーブル２０からの光ファイバ心線２１の余長が足りない場合、分岐心線モジュール２から多心用光コネクタ５を取り外し、接続することが可能となる。
このように、本実施例に係る光ケーブル接続用クロージャによれば、分岐心線モジュール２は種々の形態をとることが可能である。
【００４９】
次に、本実施例に係る光ケーブル接続用クロージャにおけるスプリッタモジュール３の種々の構成例について説明する。
図３及び図４に示すように、本実施例に係るスプリッタモジュール３において、ＰＬＣ１３と、ＰＬＣ１３に接着剤により固定した８心のテープ光ファイバ１２と、テープ光ファイバ１２を単心ごとに分岐した単心光ファイバ１２ａと、単心光ファイバ１２ａの端部に装着した単心用光コネクタ７とを具備するレイアウトを示している。
【００５０】
なお、図３（ａ）は８分岐直列型、図３（ｂ）は４心×２段の８分岐直列型、図３（ｄ）は８分岐ＰＬＣ横設置型、図３（ｅ）は４心×２段の８分岐ＰＬＣ横設置型、図３（ｆ）はスプリッタモジュール光コネクタ４及び分岐心線モジュール単心用光コネクタ７同一側面配置の８分岐ＰＬＣ横設置型、図３（ｈ）は４心×２本のテープ心線１４の８分岐テープ型のスプリッタモジュールの構造例を示した模式図である。
【００５１】
また、図３（ｃ）及び図３（ｇ）は、多心用光コネクタ５が取り外しできる構造例を示した模式図である。例えば、複数のスプリッタモジュール３を縦方向に積み重ねて設置し、同一の分岐心線モジュール２と接続する場合、又は、スプリッタモジュール３と接続する下部側のドロップ光ファイバ２２の単心の引き落とし心線２４の余長が足りない場合、スプリッタモジュール３から単心用光コネクタ４，７を取り出し、接続することができる。
【００５２】
また、図４（ａ）は４分岐直列型、図４（ｃ）は４分岐ＰＬＣ横設置型、図４（ｄ）はスプリッタモジュール光コネクタ４及び分岐心線モジュール単心用光コネクタ７同一側面配置の４分岐ＰＬＣ横設置型、図４（ｆ）は４心×１本のテープ心線１４の４分岐テープ型のスプリッタモジュールの構造例を示した模式図である。
【００５３】
また、図４（ｂ）及び図４（ｅ）は、多心用光コネクタ５が取り外しできる構造例を示した模式図である。例えば、複数のスプリッタモジュール３を縦方向に積み重ねて設置し、同一の分岐心線モジュール２と接続する場合、又は、スプリッタモジュール３と接続する下部側のドロップ光ファイバ２２の単心の引き落とし心線２４の余長が足りない場合、スプリッタモジュール３から単心用光コネクタ４，７を取り出し、接続することができる。
このように、本発実施例に係る光ケーブル接続用クロージャによれば、スプリッタモジュール３は種々の形態をとることが可能である。
【００５４】
なお、図２〜４で示した光ファイバは、全てその断面において空孔を有する光ファイバである。例えば、コア周囲のクラッド部に空孔を存在させることでクラッドの実効的な屈折率を下げて、コアとクラッドとの間の屈折率差を大きくして、曲げによる放射損失の増加を抑えるホーリー光ファイバである。
【００５５】
分岐心線モジュール２とスプリッタモジュール３内でホーリー光ファイバを使用することで、光ファイバの曲げ半径を５ｍｍ程度まで小さくすることができるため、分岐心線モジュール２のケース２ａとスプリッタモジュール３のケース３ａを小型化することができる。そして、分岐心線モジュール２のケース２ａとスプリッタモジュール３のケース３ａが小型化することで、分岐心線モジュール２とスプリッタモジュール３とを並列して設置することが可能になる。
【００５６】
また、図２〜４で示したように、分岐心線モジュール２とスプリッタモジュール３内に収める各光ファイバ８，９，１１，１２やＰＬＣ１３や分岐部保護部材１０のレイアウト設計の自由度が向上する。あわせて、分岐心線モジュール２のケース２ａとスプリッタモジュール３のケース３ａへ固定する各光コネクタ４，５，６，７の位置も図２〜４で示したように多様にすることができる。例えば、図３（ｂ）に示すように、８個の光コネクタ７をスプリッタモジュール３のケース３ａの側面に固定する場合、一つの側面に４個ずつ上下に並べて設置することもできる。
【００５７】
なお、分岐心線モジュール２とスプリッタモジュール３内の各光ファイバ８，９，１１，１２は、各光コネクタ４，５，６，７の装着の失敗に備えて余長を持たせることが望ましい。各光ファイバ８，９，１１，１２の余長の分岐心線モジュール２のケース２ａとスプリッタモジュール３のケース３ａ内での収納形態は、ＰＬＣ１３や分岐保護部材１０を周回させる場合と、各光ファイバ８，９，１１，１２をカールさせる場合がある。いずれの場合も各光ファイバ８，９，１１，１２はホーリー光ファイバであるため、曲げ半径５ｍｍ程度で収納でき分岐心線モジュール２のケース２ａとスプリッタモジュール３のケース３ａを小型化することができる。
【実施例３】
【００５８】
本発明に係る光ケーブル接続用クロージャの第３の実施例について説明する。
図５，６に示すように、本実施例に係る光ケーブル接続用クロージャは、分岐心線モジュール２及びスプリッタモジュール３をモジュール収納ケース３５へ固定することでクロージャ筐体１側に固定する構造となっている。なお、図５，６においては、図１において説明したものと同一の部材に対しては、図１で使用したものと同一の符号を付するものとする。
【００５９】
図５に示す光ケーブル接続用クロージャは、図１で示した光ケーブル接続用クロージャの接続形態とほぼ同様であるが、分岐心線モジュール２とスプリッタモジュール３をモジュール収納ケース３５へ固定している点が図１で示した光ケーブル接続用クロージャと異なる。
【００６０】
また、図６に示す光ケーブル接続用クロージャは、複数個の分岐心線モジュール２のみをクロージャ筺体１へ収納する場合の接続形態を示している。この場合、モジュール収納ケース３５に分岐心線モジュール２を並列して固定している。モジュール収納ケース３５を利用することで、分岐心線モジュール２と接続する分岐ケーブル３０の多心のテープ光ファイバ３１やドロップ光ファイバ２６の単心の引き落とし心線２７等が絡むことがなく、視認性良くテープ光ファイバ３１や引き落とし心線２７等を取り回すことができる。なお、本実施例においては、複数個の分岐心線モジュール２のみをクロージャ筺体１へ収納する場合について説明したが、複数個のスプリッタモジュール３のみをクロージャ筺体１へ収納する構成とすることも可能である。
【００６１】
多数の分岐心線モジュール２やスプリッタモジュール３をクロージャ筺体１へ収納する必要がある場合、これら多数の分岐心線モジュール２やスプリッタモジュール３をモジュール収納ケース３５に固定することでクロージャ筐体１内の空間を有効に使用することができる。例えば、モジュール収納ケース３５を多段に積むことで収納可能な分岐心線モジュール２やスプリッタモジュール３の数を増やすことができる。また、クロージャ筐体１内での分岐心線モジュール２やスプリッタモジュール３の収納位置の視認性が向上する。
【００６２】
以上、第１〜第３の実施例において説明したように、本発明に係る光ケーブル接続用クロージャは、分岐部保護部材１０及びＰＬＣ１３に接続された各光ファイバ８，９，１１，１２の端部に各光コネクタ４，５，６，７を装着して分岐心線モジュール２のケース２ａ及びスプリッタモジュール３のケース３ａへ固定した分岐心線モジュール２及びスプリッタモジュール３として構成し、クロージャ筐体１内へ導入出する主ケーブル２０、分岐ケーブル３０及びドロップ光ファイバ２２，２６の端部へ各光コネクタ２３，２５，２８を装着して、各光コネクタ２３，２５，２８と各光コネクタ４，５，６，７とを接続するだけで、光ケーブルの接続収納を実現することができる。
【００６３】
また、各光コネクタ４，５，６，７を備えた分岐心線モジュール２及びスプリッタモジュール３により、従来の光ケーブル接続用クロージャで必要であったスプリッタモジュールケース１０２（図７，８参照）及び光コネクタ成端ケース１０３（図７，８参照）等の複数多段のケースを経由するモジュールコード１１２（図７，８参照）の余長の取り回しが不要になり、クロージャ筐体１内での光ファイバの接続収納作業を簡略化することができる。
【００６４】
また、分岐心線モジュール２及びスプリッタモジュール３内の光ファイバを曲げ半径を小さくできるホーリー光ファイバとすることで分岐心線モジュール２及びスプリッタモジュール３を小型化することができ、さらに、クロージャ筺体１も小型化することができる。
【００６５】
また、分岐心線モジュール２及びスプリッタモジュール３を小型化することで、従来の光ケーブル接続用クロージャで必要であった、スプリッタモジュールケース１０２及び光コネクタ成端ケース１０３等の複数枚のケースを経由する必要であったモジュールコード１１２の余長の取り回しを１枚のモジュール収納ケース３５へ収納することができるだけでなく、１枚のモジュール収納ケース３５に多数の分岐心線モジュール２及びスプリッタモジュール３を固定できるため、光ファイバの接続収納作業の作業効率を向上させることができる。
【産業上の利用可能性】
【００６６】
本発明は、例えば、光ケーブルの分岐、引込み、接続などを行う場合に用いる光ケーブル接続用クロージャに利用することが可能である。
【図面の簡単な説明】
【００６７】
【図１】本発明の第１の実施例に係る光ケーブル接続用クロージャの模式図である。
【図２】本発明の第２の実施例に係る分岐心線モジュールの種々の構成例の模式図である。
【図３】本発明の第２の実施例に係る８分岐スプリッタモジュールの種々の構成例の模式図である。
【図４】本発明の第２の実施例に係る４分岐スプリッタモジュールの種々の構成例の模式図である。
【図５】本発明の第３の実施例に係る光ケーブル接続用クロージャの模式図である。
【図６】本発明の第３の実施例に係る光ケーブル接続用クロージャの模式図である。
【図７】従来の光ケーブル接続用クロージャの模式図である。
【図８】従来の光ケーブル接続用クロージャにおけるスプリッタモジュールケース及び光コネクタ成端ケースの模式図である。
【符号の説明】
【００６８】
１  クロージャ筺体
２  分岐心線モジュール
２ａ  分岐心線モジュールのケース
３  スプリッタモジュール
３ａ  スプリッタモジュールのケース
４，６，７  単心用光コネクタ
５  多心用光コネクタ
８，１２  多心のテープ光ファイバ
９，１１，１２ａ  単心の光ファイバ
１０  分岐部保護部材
１３  ＰＬＣ
３５  モジュール収納ケース
【図１】
2010019986.tif 000003
【図２】
2010019986.tif 000004
【図３】
2010019986.tif 000005
【図４】
2010019986.tif 000006
【図５】
2010019986.tif 000007
【図６】
2010019986.tif 000008
【図７】
2010019986.tif 000009
【図８】
2010019986.tif 000010